(57)【要約】    【課題】構造の複雑化や筐体の大型化を招かずに済む搬送機構を備えたディスクドライブ装置を提供する。    【解決手段】スロット（３）から差し込まれた情報記録ディスク（ＣＤ）を筐体内の所定位置に自動的に引き込むと共にエジェクト指令を与えると自動的に排出するディスク搬送機構（１１）を備えたディスクドライブ装置（１）を、ディスクを筐体内にて保持するためのトレイ（４）と、スロットに差し込まれたディスクの外周縁の一側に回転力を付与すべく当該ディスクの外周縁に向けて弾発付勢されてトレイの一側方に互いに離間して配置された第１の搬送ローラ（２４）及び第２の搬送ローラ（２５）と、スロットに差し込まれたディスクの外周縁の他側を支持するガイド手段（固定ガイド部材９、ガイド部１０、可動ガイド板１０ａ）とを有するものとする。【選択図】図１
2005203033.tif 000002
【特許請求の範囲】
【請求項１】
スロットから差し込まれた情報記録ディスクを筐体内の所定位置に自動的に引き込むと共にエジェクト指令を与えると自動的に排出するディスク搬送機構を備えたディスクドライブ装置であって、
ディスクを筐体内にて保持するためのトレイと、
前記スロットに差し込まれたディスクの外周縁の一側に回転力を付与すべく当該ディスクの外周縁に向けて弾発付勢されて前記トレイの一側方に互いに離間して配置された第１の搬送ローラ及び第２の搬送ローラと、
前記スロットに差し込まれたディスクの外周縁の他側を支持するガイド手段とを有することを特徴とするディスクドライブ装置。
【請求項２】
同軸上に支持された一端からディスクの搬送方向に沿って互いに反対方向に延出された各遊端に前記第１の搬送ローラと前記第２の搬送ローラとが設けられると共に互いの挟み角を小さくする向きに弾発付勢された一対のアームを備えることを特徴とする請求項１に記載のディスクドライブ装置。
【請求項３】
ディスクの再生時にディスクと干渉しない位置へ前記第２の搬送ローラを退避させるべくオートチェンジャー機構と連動する退避手段を備えることを特徴とする請求項１若しくは２に記載のディスクドライブ装置。
【請求項４】
前記ガイド手段の一部が前記トレイの他側に設けられると共に、ディスクの再生時にディスクと干渉しない位置へ前記ガイド手段の一部を退避させるべくオートチェンジャー機構と連動する退避手段を備えることを特徴とする請求項１乃至３のいずれかに記載のディスクドライブ装置。
【発明の詳細な説明】
【技術分野】
【０００１】
本発明は、ディスクドライブ装置に関し、特に、情報記録ディスクをスロットに差し込むと筐体内の所定位置に自動的にディスクを引き込み、エジェクト指令を与えると自動的にディスクを排出する搬送機構を備えたディスクドライブ装置に関するものである。
【背景技術】
【０００２】
音楽情報などが記録されたコンパクトディスク（以下ＣＤと略称する）を再生する車載用ＣＤプレーヤにおけるＣＤの搬送機構として、細長いゴムローラをＣＤの表面（情報記録面に平行な面）に当接させて回転駆動し、ディスク面とローラ面との間の摩擦力でＣＤを搬送するものが知られている（特許文献１を参照されたい）。しかしこの型式のものは、ゴムローラが汚れると、その汚れがＣＤの表面に転写されたり、滑りが生じて引き込み動作が不安定になったりする恐れがあった。
【０００３】
このような欠点を解消し得るものとして、ＣＤの外周縁にローラを当接させて回転駆動する型式のものが知られている（特許文献２を参照されたい）。
【特許文献１】特開２００３−２５７１１０号公報
【特許文献２】特開平１１−５３８１２号公報
【発明の開示】
【発明が解決しようとする課題】
【０００４】
しかるに、近年、複数段に重ねたトレイ上に複数のＣＤを格納し、所望のＣＤを選択的に再生する所謂オートチェンジャー機構を備えたＣＤプレーヤが普及しつつあるが、これの場合は、ＣＤの外周縁に当接させたローラで搬送する機構を採用しようとすると、その構造が複雑化しがちな上に、オートチェンジャー機構およびターンテーブル機構との干渉を避ける都合上、筐体の大型化が避けられなかった。
【課題を解決するための手段】
【０００５】
このような課題を解決し、構造の複雑化や筐体の大型化を招かずに済む搬送機構を備えたディスクドライブ装置を提供するために、本発明の請求項１は、スロット（３）から差し込まれた情報記録ディスク（ＣＤ）を筐体内の所定位置に自動的に引き込むと共にエジェクト指令を与えると自動的に排出するディスク搬送機構（１１）を備えたディスクドライブ装置（１）を、ディスクを筐体内にて保持するためのトレイ（４）と、スロットに差し込まれたディスクの外周縁の一側に回転力を付与すべく当該ディスクの外周縁に向けて弾発付勢されてトレイの一側方に互いに離間して配置された第１の搬送ローラ（２４）及び第２の搬送ローラ（２５）と、スロットに差し込まれたディスクの外周縁の他側を支持するガイド手段（固定ガイド部材９、ガイド部１０、可動ガイド板１０ａ）とを有することを特徴とするものとした。
【０００６】
また請求項２は、上記構成に加えて、同軸上に支持され一端からディスクの搬送方向に沿って互いに反対方向に延出された各遊端に第１の搬送ローラと第２の搬送ローラとが設けられると共に互いの挟み角を小さくする向きに弾発付勢された一対のアーム（２２・２３）を備えるものとした。
【０００７】
そして請求項３は、上記構成に加えて、ディスクの再生時にディスクと干渉しない位置へ第２の搬送ローラを退避させるべくオートチェンジャー機構と連動する退避手段（第１レリーズレバー１２）を備えるものとした。
【０００８】
さらに請求項４は、上記構成に加えて、ガイド手段の一部（可動ガイド板１０ａ）がトレイの他側に設けられると共に、ディスクの再生時にディスクと干渉しない位置へガイド手段の一部を退避させるべくオートチェンジャー機構と連動する退避手段（第２レリーズレバー１３）を備えるものとした。
【発明の効果】
【０００９】
このような本発明の請求項１の構成によれば、ガイド手段との接触点を支点とするモーメントがローラの回転力によってＣＤに作用して筐体内にＣＤが引き込まれる。この際に、例えば前後に離間配置された２つのローラが引き継いでディスクを搬送するので、最少限のローラで効率的にディスクを搬送することができる。また直線的な搬送軌跡が得られるので、筐体内のスペースが最少限で済み、しかも最終位置までローラの回転力でディスクを搬送し得るので、ばねの弾発力に頼るもののように搬送速度が不均一にならずに円滑な搬送が可能となる。
【００１０】
また請求項２の構成によれば、ローラのアームを互いに独立して傾動自在に支持し且つ弾発付勢することで他の可動体や駆動源を要さずに２つの駆動ローラがディスクの外形輪郭に沿って移動可能となるので、構成が簡略で済む上、筐体内のスペースが最少限で済む。
【００１１】
さらに請求項３並びに４の構成によれば、第２のローラ或いはガイド手段をディスクと干渉しない位置へ移動させる退避手段の構造を簡略化し得る。
【発明を実施するための最良の形態】
【００１２】
以下に添付の図面を参照して本発明について詳細に説明する。
【００１３】
図１は、本発明による搬送機構が適用された車載用ディスクドライブ装置の上面図である。この車載用ディスクドライブ装置１の１ＤＩＮの規格に則って形成された筐体の前面パネル２には、直径１２０mmのコンパクトディスクＣＤの挿入に対応可能なスロット３が開口し、筐体内の中央部には、ＣＤを保持するトレイ４が設けられ、筐体の奥側には、ディスククランパを備えたターンテーブル及びターンテーブル駆動モータ、データ読み取りヘッド及びヘッド駆動モータ等を支持したドライブアーム５が、底板に立設された垂直軸上に旋回動自在に枢着されている。また筐体の奥側の右隅には、オートチェンジャー機構に駆動力を与えるチェンジャー駆動装置６が設けられ、上部には、左右のオートチェンジャー機構７Ｌ・７Ｒを連動させる連動軸８が延設されている。
【００１４】
なお、本発明装置は、前後方向にスライドするカム板の傾斜カム溝に係合させて多段に重ね合わせた複数のトレイ全体を昇降させるトレイベースと、所定段のトレイのみを選択的に再生位置にセットするためのカム溝が形成されたもう一つの前後方向にスライドするカム板とを備えたオートチェンジャ機構と組み合わせて用いられるが、オートチェンジャ機構は公知の構成をそのまま流用し得るので、ここではその説明を省略する（オートチェンジャー機構に関して必要ならば、特開平１１−２９６９５４号公報を参照されたい）。
【００１５】
スロット３の右端には、水平状態のＣＤの外周縁が通過し得る溝を有する固定ガイド部材９が設けられ、トレイ４の右側端部には、固定ガイド部材９と連係してＣＤの外周縁を案内するガイド部１０と、挿入されるＣＤの逸脱を防止すべくガイド部１０の上方を覆う可動ガイド板１０ａとが設けられている。この可動ガイド板１０ａは、トレイ４の右側縁におけるスロット３側の隅部にその一端を枢着してその遊端を左右に傾動自在であり、且つばね手段（図示せず）によって内向きに弾発付勢されている。またトレイ４の左側方におけるスロット３側の隅部には、本発明によるディスク搬送機構１１が設けられている。すなわち、トレイ４の左右両端には、ガイド部１０とディスク搬送機構１１とからなるディスクの搬送部が形成されている。
【００１６】
筐体の天板（図１においては除去されている）の下面には、搬送機構１１の退避手段としての第１レリーズレバー１２の中間部が左側に枢着され、可動ガイド板１０を退避位置へ傾動させる待避手段としての第２レリーズレバー１３の中間部が右側に枢着され、最上段のトレイの上面に重ね合わされたアッパプレート１４に下向きの押圧力を作用させる押圧板１５の一端が、スロット３側の端縁部に枢着されている。
【００１７】
押圧板１５は、その遊端に組み込まれたローラ１６をアッパプレート１４の上面に常時転動接触させるように、枢軸に巻装された捩りコイルばね（図示せず）によって弾発付勢されている。これにより、多段のトレイ４をがたつかないように安定させている。
【００１８】
図２は、本発明による搬送機構１１の斜視図である。この搬送機構１１は、筐体の底板に固定されたセンタ軸２１にそれぞれの一端が枢着され、且つそれぞれの遊端が互いに反対方向へ延出された２つのアーム２２・２３と、両アーム２２・２３の遊端に軸支された第１搬送ローラ２４及び第２搬送ローラ２５と、センタ軸２１に枢着されたロータ２６とを備えている。そして第１、第２両搬送ローラ２４・２５にはプーリ２７・２８が一体的に形成され、ロータ２６には、上プーリ２９、中間搬送ローラ３０、下プーリ３１、並びに被動プーリ３２が、上からこの順に一体形成されている。
【００１９】
第１搬送ローラ２４は、スロット３に近接配置され、スロット３から挿入されたＣＤの外周縁の左側に当接して筐体内へＣＤを搬送し、且つエジェクト時に筐体内から搬送されたＣＤを、スロット３外のＣＤを回収できる位置まで押し出す機能を備えている。また第２搬送ローラ２５は、トレイ４の左側方、すなわちトレイ４上に載置されたＣＤに当接可能な位置に設けられ、この回転により、筐体外から搬送されてきたＣＤをトレイ４上に載置させ、且つエジェクト時にトレイ４からＣＤを離脱させる機能を備えている。そして中間搬送ローラ３０は、第１搬送ローラ２４と第２搬送ローラ２５との間でＣＤの受け渡しを行うガイドとしての機能を備えている。
【００２０】
ＣＤの搬送方向について互いに離間配置された第１搬送ローラ２４及び第２搬送ローラ２５は、それぞれのプーリ２７・２８との位置関係が互いに上下逆にされると共に、中間搬送ローラを含む３つの搬送ローラ２４・３０・２５の高さ位置が、ＣＤを順次搬送できるように互いに等しくされている。なお、第１、第２両搬送ローラ２４・２５のＣＤの外周縁との接触部には、摩擦係数を高めるためにゴム材が被覆されている。また、中間搬送ローラ３０は、第１、第２両搬送ローラ２４・２５に比較して低摩擦の部材で構成されており、搬送されたＣＤが当接したときにスリップを生じさせることができるようになっている。このスリップにより、第１、第２両搬送ローラ２４・２５と中間搬送ローラ３０との搬送速度差に伴う搬送障害を緩和し、第１、第２両搬送ローラ２４・２５間のＣＤの受け渡しを円滑に行うことができる。
【００２１】
ロータ２６の最下段に位置する被動プーリ３２は、筐体のスロット３側に位置する第１搬送ローラ２４の下方に設置された搬送モータ３３の駆動軸とベルト３４をもって連動連結されている。またロータ２６の上プーリ２９と第２搬送ローラ２５、並びにロータ２６の下プーリ３１と第１搬送ローラ２４とが、それぞれベルト３５・３６をもって連動連結されている。これらにより、搬送モータ３３の駆動力でロータ２６が回転し、この回転に連れて第１、第２、中間搬送ローラ２４・２５・３０が同時に同一方向へ回転するようになっている。
【００２２】
第１、第２各搬送ローラ２４・２５を個々に支持する２つのアーム２２・２３には、センタ軸２１に巻装された捩りコイルばね（図示せず）の遊端が係止しており、互いの挟み角を小さくする向きに弾発付勢されている。これにより、第１、第２両搬送ローラ２４・２５が、ＣＤの外周縁に向けて弾発付勢されている。なお、自然状態時の両アーム２２・２３の挟み角は、機械的なストッパ（図示せず）にて図１に示す位置に規定されている。
【００２３】
次に本発明装置によるＣＤのローディング手順について説明する。
【００２４】
例えば人差し指をＣＤのセンタ孔に掛けると共に、親指をＣＤの手前側の外周縁に掛けてＣＤを保持し、これを筐体の前面パネル２に開口したスロット３から差し込むと、機械的、あるいは光学的なスイッチの作用によってＣＤの挿入が検知され、搬送モータ３３が起動する。これにより、搬送モータ３３とベルト伝動されたロータ２６が回転し、ロータ２６の上・下プーリ２９・３１とベルト伝動された第１、第２両搬送ローラ２４・２５が共に図１における反時計回りに回転する。そしてＣＤの外周縁がスロット３の右端に設けられた固定ガイド部材９とスロット３の左端側に位置する第１搬送ローラ２４とに同時に触れると、第１搬送ローラ２４の回転力により、固定ガイド部材９との接触点を支点とする時計回りのモーメントがＣＤに作用し、これによって筐体内にＣＤが引き込まれる。
【００２５】
筐体内へのＣＤの進入量が増大するに連れて第１アーム２２はＣＤの外周に押されて外向きに傾動するが、第１アーム２２はセンタ軸２１に設けられた捩りばねの弾発力で内向きに付勢されているので、第１搬送ローラ２４がＣＤの外周縁を押圧し、ＣＤの引き込み動作が継続される（図３参照）。
【００２６】
第１搬送ローラ２４の駆動によるＣＤの進入量の増大に伴ってＣＤの外周縁は中間搬送ローラ３０に当接支持され、やがて第２搬送ローラ２５と当接してこの駆動力がＣＤの外周縁に加えられる。これと共に、ＣＤの外周縁の右側は、トレイ４の右側端の可動ガイド板１０ａで覆われたガイド部１０によって案内される（図４参照）。
【００２７】
筐体内にＣＤがさらに進入すると、第１並びに中間搬送ローラとＣＤとの接触が完全に断たれ、第２搬送ローラ２５とのみ接触することとなる。ここで第２アーム２３はＣＤの外周縁に第２搬送ローラ２５が押されることで外方へ傾動するが、センタ軸２１の捩りばねの弾発力によって第２搬送ローラ２５とＣＤの外周縁との接触が維持されるので、ＣＤの引き込み動作が継続される（図５参照）。
【００２８】
図６に示す再生位置に到達したならば、搬送モータ３３を停止させた後にドライブアーム５を回動させてＣＤのセンタ孔をクランプすると共に、オートチェンジャー機構７Ｌ・７Ｒと連動する左右のレリーズカム３７Ｌ・３７Ｒを前進させる。すると、その中間部を天板に枢着し、左レリーズカム３７Ｌにその一端を係止させ、第２アーム２３にその他端を係合させた第１レリーズレバー１２が左レリーズカム３７Ｌに押圧されて反時計回りに回動し、第２アーム２３を外向きに傾動させる。これにより、第２搬送ローラ２５がＣＤの外周縁から離間する。これと同時に、右側の第２レリーズレバー１３が右レリーズカム３７Ｒに押圧されて時計回りに回動し、可動ガイド板１０ａの遊端を外方へ押し出してＣＤの外周縁から離間させる。次いで可動ガイド板１０ａを含むトレイ４を若干下降させる。これにより、可動ガイド板１０を備えたトレイ４並びに第２搬送ローラ２５とＣＤが完全に分離されて図７に示した再生可能な状態となる。
【００２９】
エジェクト動作は、上記の逆の手順で行われ、先ず、トレイ４を上昇させてＣＤを載置し、第２レリーズレバー１３を反時計回りに回動させて可動ガイド板１０ａの遊端を内方へ戻すと共に、第１レリーズレバー１２を反時計回りに回動させて第２搬送ローラ２５をＣＤの外周縁に当接させてトレイ４のガイド部１０へＣＤを押し当てる。これにより、可動ガイド板１０ａと第２搬送ローラ２５とによってＣＤがトレイ４上に固定される。続いてドライブアーム５のクランプを解除して退避位置へ回動させた後、搬送モータ３３を逆転させて第２搬送ローラ２５の回転力をＣＤの外周縁に付与することにより、中間搬送ローラ３０から第１搬送ローラ２４を経て、筐体外の回収位置までＣＤが排出される。
【００３０】
以上、詳述した通り、本発明装置によれば、固定ガイド部材９あるいはトレイ４のガイド部１０との接触点を支点とするモーメントが各搬送ローラ２４・２５・３０の回転力によってＣＤに作用し、筐体内にＣＤが引き込まれる。この際に、前後に離間配置された第１搬送ローラ２４から中間搬送ローラ３０を経て第２搬送ローラ２５へと搬送作用が引き継がれるので、最少限のローラ数で効率的にＣＤを搬送することができる上、最終位置まで搬送ローラの回転力でＣＤが搬送されるので、均一な搬送速度で円滑な搬送を実現し得る。また搬送軌跡を直線にして筐体内のスペース効率の向上を企図し得る。
【００３１】
そして第１、第２各搬送ローラ２４・２５を支持する一対のアーム２２・２３を互いに独立して傾動自在に軸支し且つ弾発付勢することにより、他の可動体や駆動源を要さずに２つの搬送ローラ２４・２５がＣＤの外形輪郭に沿って移動可能となるので、構成の簡略化とスペース効率の向上とを企図し得る。
【００３２】
これらに加えて、第２搬送ローラ２５或いは可動ガイド板１０ａをＣＤと干渉しない位置へ移動させる退避手段としてのレリーズカム３７Ｌ・３７Ｒをオートチェンジャー機構と連動する構成を採ることにより、構造の簡略化を企図し得る。
【図面の簡単な説明】
【００３３】
【図１】ディスクドライブ装置の一部切除して示す上面図である。
【図２】本発明によるディスク搬送機構の斜視図である。
【図３】ディスク搬送経過の説明図である。
【図４】ディスク搬送経過の説明図である。
【図５】ディスク搬送経過の説明図である。
【図６】ディスク搬送経過の説明図である。
【図７】再生状態の説明図である。
【符号の説明】
【００３４】
１  ディスクドライブ装置
２  スロット
４  トレイ
９  固定ガイド部材
１０  トレイのガイド部
１０ａ  可動ガイド板
１１  ディスク搬送機構
１２  第１レリーズレバー
１３  第２レリーズレバー
２２  第１アーム
２３  第２アーム
２４  第１搬送ローラ
２５  第２搬送ローラ
ＣＤ  コンパクトディスク
【図１】
2005203033.tif 000003
【図２】
2005203033.tif 000004
【図３】
2005203033.tif 000005
【図４】
2005203033.tif 000006
【図５】
2005203033.tif 000007
【図６】
2005203033.tif 000008
【図７】
2005203033.tif 000009